(57)【特許請求の範囲】
【請求項１】
遊技機前方から視認可能な位置に設けられている遊技盤と、
前記遊技盤の前面に設けられ、遊技球が流れ落ちる遊技領域と、
前記遊技盤に形成され、前記遊技領域を流れ落ちる前記遊技球を前記遊技盤の背面側に案内する開口部と、
前記遊技盤を支持する支持枠と、
前記遊技盤の背面側に取り付けられている背面カバーと、
前記支持枠及び前記背面カバーの少なくともいずれかに設けられているとともに、前記開口部の下方に配置されており、前記開口部から落下した前記遊技球を排出する排出領域と、
前記背面カバーに取り付けられているとともに、前記遊技盤の下端部と前記支持枠との境界部位の後方に、当該境界部位に沿って配置されている背面カバー補強部材と、
前記背面カバー補強部材の上方に設けられ、前記排出領域の一部を構成し、前記開口部から落下した遊技球が当たる球受け部と
を備えていることを特徴とする遊技機。
【発明の詳細な説明】
【技術分野】
【０００１】
本発明は、遊技機に関するものである。
【背景技術】
【０００２】
パチンコ機等の遊技機には、遊技領域が形成された遊技盤を本体枠に搭載してなる遊技機本体と、遊技機本体の前面側に取り付けられた前扉枠とが設けられているものがある。遊技領域に設けられた入賞口、入賞装置等に遊技球が入賞すると、それに伴い所定個数の遊技球の払い出し等の特典が遊技者に付与される。
【０００３】
遊技領域に到達した遊技球は、入賞口や入賞装置又はアウト口等を介して遊技盤の背面側に案内された後、自重によって下方へ落下する。このように遊技球を自重により落下させることで遊技機の下部に集約し、遊技機本体の背面側に設けられた導出通路等を介して島設備へと遊技球の返却が行われる（例えば、特許文献１参照）。
【先行技術文献】
【特許文献】
【０００５】
【特許文献１】特開２００４−２７５６０８号公報
【発明の概要】
【発明が解決しようとする課題】
【０００６】
本体枠と遊技盤との境界部位は、不正防止の観点から前扉枠（球受け皿等）によって遮蔽されているものが提案されている。これにより、遊技機前方からの境界部位の視認が困難となり、境界部位を介しての不正行為を抑制することができる。しかしながら、境界部位の視認が困難であることで、上述したように境界部位を介して不正が行われると、その不正行為の摘発が困難なものとなると考えられる。上記境界部位を通じて行われる不正に対する防犯機能等を向上させる上で、遊技機の構造には未だ改善の余地がある。
【０００９】
本発明は、上記例示した事情等に鑑みてなされたものであり、本体枠と遊技盤との境界部位を介して行なわれる不正行為を抑制することができる遊技機を提供することを目的とするものである。
【課題を解決するための手段】
【００１０】
本発明は、
遊技機前方から視認可能な位置に設けられている遊技盤と、
前記遊技盤の前面に設けられ、遊技球が流れ落ちる遊技領域と、
前記遊技盤に形成され、前記遊技領域を流れ落ちる前記遊技球を前記遊技盤の背面側に案内する開口部と、
前記遊技盤を支持する支持枠と、
前記遊技盤の背面側に取り付けられている背面カバーと、
前記支持枠及び前記背面カバーの少なくともいずれかに設けられているとともに、前記開口部の下方に配置されており、前記開口部から落下した前記遊技球を排出する排出領域と、
前記背面カバーに取り付けられているとともに、前記遊技盤の下端部と前記支持枠との境界部位の後方に、当該境界部位に沿って配置されている背面カバー補強部材と、
前記背面カバー補強部材の上方に設けられ、前記排出領域の一部を構成し、前記開口部から落下した遊技球が当たる球受け部と
を備えていることを特徴とする。
【発明の効果】
【００１１】
本発明によれば、本体枠と遊技盤との境界部位を介して行なわれる不正行為を抑制することができる遊技機を提供することが可能となる。
【図面の簡単な説明】
【００１２】
【図１】一実施の形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パック機構の構成を示す正面図である。
【図１３】裏パック機構の分解斜視図である。
【図１４】図４のＡ−Ａ線部分端面図である。
【図１５】パチンコ機の電気的構成を示すブロック図である。
【図１６】背面カバー補強部材の変形例をしめす概略図である。
【発明を実施するための形態】
【００１３】
はじめに、本実施の形態から抽出され得る発明を、必要に応じて効果等を示しつつ説明する。
なお、下記の手段群に記載された発明は、「遊技機の一種であるパチンコ機には、遊技領域が形成された遊技盤を枠体に搭載してなる遊技機本体と、遊技機本体の前面側に取り付けられた前扉枠とが備えられている。遊技領域には入賞口や入賞装置等の各種遊技機器が設けられており、本体枠に形成された開口部を介して遊技領域のほぼ全体が遊技機前方から視認可能となっている。遊技者により遊技球発射ハンドルが操作されると遊技球が遊技領域に向けて発射され、発射された遊技球が入賞口や入賞装置などに入賞すると、それに伴い所定個数の遊技球が払い出される。遊技領域に到達した遊技球は、入賞口や入賞装置又はアウト口等を介して遊技盤の背面側に案内された後、自重によって下方へ落下する。このように遊技球を自重により落下させることで遊技機の下部に集約し、遊技機本体の背面側に設けられた導出通路等を介して島設備へと遊技球の返却が行われる（例えば、特許文献１参照）。近年では、装飾性の向上や遊技内容の多様化に伴って遊技盤が拡大される傾向にあり、遊技盤の拡大に対応して本体枠に形成される開口部も拡張されている。このような開口部の拡大に起因して、本体枠の肉部が減少し、本体枠の剛性が低下しがちとなっている。本体枠の背面側には背面カバーが設けられており、背面カバーには背面カバーを補強する背面カバー補強部材が取り付けられている。この背面カバー及び背面カバー補強部材によって本体枠の剛性を補うといった対策が考えられている。」という背景技術について、「一般的に、本体枠と遊技盤との境界部位は、不正防止の観点から前扉枠（球受け皿等）によって遮蔽されていることが多い。これにより、遊技機前方からの境界部位の視認が困難となり、境界部位を介しての不正行為を抑制することができる。しかしながら、境界部位の視認が困難であることで、上述したように境界部位を介して不正が行われると、その不正行為の摘発が困難なものとなると考えられる。境界部位の後方は、遊技球（アウト球）の大半が、遊技盤の後方を落下する際に、本体枠と遊技盤との境界部位の後方を通過する通過経路となっていることが多い。本体枠と遊技盤との境界部位を不正具等で拡大したり、その境界部位に貫通孔等を設けたりすることで、島設備に返却される遊技球を再度取得された場合、連続して遊技が行われてしまうことが懸念される。また、遊技機の裏側には大当たりの判定や遊技球の払出し等の制御を行う制御装置が設けられることが多い。仮に本体枠と遊技盤との境界部位を介して制御装置にアクセスされた場合には、それら制御装置を不正に操作されてしまうといった不都合が生じ得る。」という発明が解決しようとする課題をもってなされたものである。
【００１４】
手段１．遊技機前方から視認可能な位置に設けられている遊技盤（遊技盤８１）と、
前記遊技盤の前面に設けられ、遊技球（例えば遊技球Ｂ）が流れ落ちる遊技領域と、
前記遊技盤に形成され、前記遊技領域を流れ落ちる前記遊技球を前記遊技盤の背面側に案内する開口部（一般入賞口８２やアウト口８７等）と、
前記遊技盤を支持する支持枠（本体枠１３）と、
前記遊技盤の背面側に取り付けられている背面カバー（裏パック機構１５）と、
前記支持枠及び前記背面カバーの少なくともいずれかに設けられているとともに、前記開口部の下方に配置されており、前記開口部から落下した前記遊技球を排出する排出領域（排出通路２３１）と、
前記背面カバーに取り付けられているとともに、前記遊技盤の下端部と前記支持枠との境界部位の後方に、当該境界部位に沿って配置されている背面カバー補強部材（裏パック補強部材２６１）と
を備えていることを特徴とする遊技機。
【００１５】
手段１の遊技機では、遊技盤を流下した遊技球が開口部を介して遊技盤の背面側に案内される。その後、遊技球（アウト球）は、排出領域へと落下し、例えば島設備等へと返却される。かかる場合、それらアウト球の大半は遊技盤と支持枠との境界部位の後方を通過する。不正具等によって遊技盤と支持枠との境界部位が拡大されたり、同境界部位に貫通孔等を設けられたりした場合、その境界部位を通じてアウト球を再取得するといった不正が行なわれる可能性がある。このような不正行為が行われた場合、遊技球を繰り返し使用することで、投資価値としての遊技球を正規に取得することなく連続した遊技が可能となる。
【００１６】
また、遊技機の後部（例えば遊技盤の背面側）には遊技に関する各種制御を行う制御装置が設けられることが多い。より詳しくは、それらの制御装置によって、遊技の大当たりの判定や賞球（遊技球）の払出しが制御される。上述の如く、遊技盤と支持枠との境界部位が拡大されたり、同境界部位に貫通孔等を設けられたりした場合、その境界部位を通じて制御装置にアクセスされ不正な操作が行われる可能性がある。
【００１７】
しかしながら本手段においては、背面カバーに取り付けられた背面カバー補強部材によって背面カバーの剛性向上（歪み抑制）を図るとともに、背面カバー補強部材を遊技盤と支持枠との境界部位の後方にその境界部位に沿って配置した。このため、境界部位を介して行なわれる不正行為を抑制することができる。より具体的には、遊技盤と支持枠との境界部位に不正具等が挿入された場合、背面カバー補強部材によって不正具等の進入を妨げることができる。例えば、背面カバー補強部材を左右に延びる長尺状に形成し、その長手方向寸法が背面カバーの左右方向寸法とほぼ同等となる構成とすればよい。背面カバー補強部材における長手方向の端部を背面カバーの左右両側にそれぞれ取り付けることで、背面カバーの補強と境界部位の遮蔽とにより一層貢献することができる。因みに、背面カバー補強部材は、背面カバーに固定されてもよいし、所定の方向（例えば左右方向や上下方向）以外への移動が規制された状態で組み付けられてもよい。
【００１８】
遊技盤の背面側に案内された遊技球の多くは、落下の際に遊技盤の下端における境界部位の後方を通過する。このため、遊技盤の下端における境界部位が遊技球再取得のための不正対象となりやすいと想定される。遊技盤の下端部と支持枠との境界部位の後方に背面カバー部材を配置することで、境界部位を介して行なわれる遊技球再取得を好適に抑制することができる。
【００１９】
手段２．遊技機前方から視認可能な位置に設けられている遊技盤（遊技盤８１）と、
前記遊技盤の前面に設けられ、遊技球（例えば遊技球Ｂ）が流れ落ちる遊技領域と、
前記遊技盤に形成され、前記遊技領域を流れ落ちる前記遊技球を前記遊技盤の背面側に案内する開口部（一般入賞口８２やアウト口８７等）と、
前記遊技盤を支持する支持枠（本体枠１３）と、
前記遊技盤の背面側に取り付けられている背面カバー（裏パック機構１５）と、
前記支持枠及び前記背面カバーの少なくともいずれかに設けられているとともに、前記開口部の下方に配置されており、前記開口部から落下した前記遊技球を排出する排出領域（排出通路２３１）と、
前記背面カバーに取り付けられているとともに、前記支持枠と前記遊技盤との境界部位の後方に配置され、前記境界部位のうち、少なくとも前記排出領域と遊技機の正面視において重なる範囲を含んで設定されている背面カバー補強部材（裏パック補強部材２６１）と
を備えていることを特徴とする遊技機。
【００２０】
手段２の遊技機では、遊技盤を流下した遊技球が開口部を介して遊技盤の背面側に案内される。その後、遊技球（アウト球）は、排出領域へと落下し、例えば島設備等へと返却される。かかる場合、それらアウト球の大半は遊技盤と支持枠との境界部位の後方を通過する。不正具等によって遊技盤と支持枠との境界部位が拡大されたり、同境界部位に貫通孔等を設けられたりした場合、その境界部位を通じてアウト球を再取得するといった不正が行なわれる可能性がある。このような不正行為が行われた場合、遊技球を繰り返し使用することで、投資価値としての遊技球を正規に取得することなく連続した遊技が可能となる。
【００２１】
また、遊技機の後部（例えば遊技盤の背面側）には遊技に関する各種制御を行う制御装置が設けられることが多い。より詳しくは、それらの制御装置によって、遊技の大当たりの判定や賞球（遊技球）の払出しが制御される。上述の如く、遊技盤と支持枠との境界部位が拡大されたり、同境界部位に貫通孔等を設けられたりした場合、その境界部位を通じて制御装置にアクセスされ不正な操作が行われる可能性がある。
【００２２】
しかしながら本手段においては、背面カバーの左右両側部を繋ぐ背面カバー補強部材によって背面カバーの剛性向上（歪み抑制）を図るとともに、遊技機正面視で背面カバー補強部材を遊技盤と支持枠との境界部位と重ねて配置したため、その境界部位を介して行なわれる不正行為を抑制することができる。より具体的には、遊技盤と支持枠との境界部位に不正具等が挿入された場合、境界部位の後方に配置された背面カバー補強部材によって不正具等の進入を妨げることができる。因みに、背面カバー補強部材は、背面カバーに固定されてもよいし、所定の方向（例えば左右方向や上下方向）以外への移動が規制された状態で組みつけられてもよい。
【００２３】
遊技盤の背面側に案内された遊技球の多くは、主として排出領域を通過する。このため、境界部位の排出領域と重なる部分が特に遊技球再取得のための不正対象となりやすいと想定される。背面カバー補強部材が、境界部位のうち、少なくとも排出領域と遊技機の正面視において重なる範囲を含んで設定されている。このため、境界部位を介して行なわれる不正行為（遊技球再取得）を好適に抑制することができる。
【００２４】
なお近年では、装飾性の向上や遊技内容の多様化に伴って遊技盤が拡大される傾向にあり、遊技盤の拡大に対応して本体枠に形成される開口部も拡張されている。このような開口部の拡大に起因して、本体枠の肉部が減少し、本体枠の剛性が低下しがちとなっている。本体枠に補強部材等を追加することで剛性の担保が図られたりしているものの、補強が十分に行われていない場合には、上述した境界部位の拡張等が容易になると懸念される。かかる場合、遊技球の不正取得や制御装置への不正なアクセスが容易になるおそれがある。
【００２５】
手段１及び手段２においては、背面カバーを支持枠に対して閉じた状態で固定し、両者を一体化する構成とすることで、背面カバーの背面カバー補強部材により支持枠の剛性向上に貢献することが可能となる。具体的には、遊技盤の少なくとも上方及び下方において、支持枠と背面カバーとのいずれか一方が前後方向に延びる突起を備えているとともに、他方がそれら突起の嵌まる収容孔を備えているとよい。背面カバーが支持体に対して閉じた状態で突起が収容孔に嵌まることで、支持枠の剛性向上に貢献できる。
【００２６】
支持枠の剛性向上によって、支持枠の歪み等を低減することができる。これにより、遊技盤との境界部位が拡大されるといった不都合を抑制可能となり、不正防止効果を向上することが可能となる。例えば、背面カバーの外形を本体枠の外形とほぼ同等とし、背面カバーと本体枠との固定部位を背面カバー補強部材の長手方向と同じ方向において複数の離間した位置（本体枠の左右両側部等）に配置するとよい。特に本体枠の補強部材（金属板等）を背面カバー補強部材と交差する方向（例えば直交する方向）に延びる構成とするとよい。背面カバーと本体枠とをそれぞれ別々の方向への歪み等に対して強固とすることで、背面カバーと本体枠とを組み合わせた状態では複数の方向への歪み等に対して強くすることができる。このように補強部材の配置方向が異なるものを組み合わせる構成とすれば、重量の増加を抑えつつ、好適に補強を実現することができる。因みに、背面カバー補強部材は、遊技盤や支持枠や背面カバーよりも少なくとも高強度又は高硬度な別部材によって構成されているものである。
【００２７】
手段３．前記背面カバー補強部材と前記遊技盤との間隔が、前記遊技球の直径寸法よりも小さいことを特徴とする手段１又は手段２に記載の遊技機。
【００２８】
手段３によれば、背面カバー補強部材と遊技盤との間を遊技球が通過するといった不都合を回避できる。仮に、背面カバー補強部材を迂回して遊技球にアクセスされた場合であっても、遊技球を背面カバー補強部材を迂回させて境界部位へ到達させることが困難となる。これにより、境界部位を介して行なわれる不正を一層好適に抑制することができる。
【００２９】
なお、背面カバーにおける背面カバー補強部材の後側に壁部（収容部２７１の内周壁）を設けるとよい。これにより、背面カバー補強部材の遊技機後方への移動を壁部によって規制することができる。仮に、不正具等により背面カバー補強部材を後方へ押された場合であっても、背面カバー補強部材が壁部に当たることでその移動を抑えることができる。故に、背面カバー補強部材と遊技盤との間隔の広がりを抑制し、不正防止効果を一層向上することができる。
【００３０】
手段４．前記遊技盤が、前記支持枠に対して遊技機後方から着脱される構成であることを特徴とする手段１乃至手段３のいずれか１つの手段に記載の遊技機。
【００３１】
遊技盤が支持枠に対して遊技機後方から着脱される構成とすることで、遊技機前方からの取り外しを規制できる。これにより、遊技盤の不正な取り外しといった不正行為を抑制することが可能である。しかしながら、かかる遊技機において遊技盤と支持枠との境界部位を後方から覆う遮蔽部材等を設定した場合、遊技盤をメンテナンス等で着脱する度に遮蔽部材の着脱又は移動を行う必要が生じると考えられる。すなわち、不正抑制を図ることができる反面、メンテナンス作業が煩雑化したり、遮蔽部材の取り付け作業が過誤により行われなかったりする等の不都合が生じ得る。特に遮蔽部材が装着されないまま背面カバーが取り付けられた場合、遮蔽部材の有無の確認がしにくくなり装着忘れの発見が遅れるといった不都合が懸念される。そこで、本手段においては、背面カバーの背面カバー補強部材に遮蔽手段としての機能を付与した。背面カバー補強部材は背面カバーに設けられている。遊技盤着脱の都度、背面カバー補強部材の取り外し及び取り付け作業を別途行う必要が無い。故に、遊技盤及び境界部位に対する不正を抑制しつつ、不正対策に起因する作業の煩雑化を回避することができる。
【００３２】
なお例えば、支持枠に、背面カバーを回動可能に軸支する支持具を設けることで、作業性の向上を図ることができる。かかる場合、背面カバーを閉じた状態で保持する保持部を設けるとよい。
【００３３】
手段５．前記排出領域は前記背面カバー補強部材の後方に配置されており、
前記背面カバー補強部材から所定間隔をおいて上方に離間した位置に設けられ、前記遊技盤の開口部から落下する遊技球が当たることで当該遊技球を前記排出領域に案内する当接部（球受け部２７０）と、前記背面カバー補強部材に設けられ、前記当接部が所定量以上変位した場合に前記当接部に当接して当該当接部の変位を制限する制限部（上側延出部２６３）とを備えていることを特徴とする手段１乃至手段４のいずれか１つの手段に記載の遊技機。
【００３４】
手段５によれば、遊技球は、落下の際に当接部に当たることで排出領域に案内され、当接部の後方の排出領域を通して遊技機外の例えば島設備等へ返却される。
【００３５】
遊技球の排出領域が、背面カバー補強部材よりも後方にあることで、境界部位（遊技盤と支持枠との境界部位）と排出領域とを隔てることができる。これにより、排出領域への不正なアクセスを困難なものとすることができる。また、遊技球の排出領域が、当接部及び背面カバー補強部材よりも後方にあることで、遊技球は、遊技盤と支持枠との境界部位から遠ざかる方向へ移動する。このため、不正取得を目的とした遊技球の境界部位への誘導は一層困難なものとなる。また、当接部によって境界部位よりも上方で遊技球の移動（境界部位から遠ざかる方向への移動）が行なわれるため、遊技球へのアクセスを好適に抑制できる。
【００３６】
また、本手段においては、遊技球は当接部に当たり、当接部は下方（すなわち制限部との間隔を縮める方向）に変位する。かかる場合、遊技球との接触によって当接部が変位することで、遊技球が当接部に当たった際に生じる打音を低減できる。遊技球の打音の低減を図ることで、スピーカからの音楽に打音が紛れる等して遊技者に不快感を与え、遊技興趣の低下を招くことを抑制することができる。また、上述の如く当接部自身が変位することで、遊技球が当たった際に生じる衝撃を低減することも可能である。これにより、当接部に生じる負荷を抑え、当接部の保護を図ることができる。
【００３７】
当接部から所定間隔をおいた位置には制限部が設けられている。当接部の変位が所定量に到達した際には、当接部が制限部に当たる。当接部と制限部との両者が当たった状態においては、制限部によって当接部の更なる下方への変位が制限される。すなわち、当接部の変位が完全に抑えられた状態となるか、又は当接部の負荷に対する変位量が制限部に当たる前に比べて小さくなる。
【００３８】
当接部に生じる下方への負荷が比較的小さい状態においては、当接部の変位によって積極的に音の低減を図ることができる。一方、当接部に生じる下方への負荷が比較的大きい状態においては、当接部が制限部に当たり、その変位が制限される。このため、当接部の過度の変位を抑えることができ、当接部の保護を図ることが可能である。例えば、当接部自身が弾性変形（変位）することによって、遊技球が当たった際の打音の低減を行う場合、塑性変形領域まで変形するといった不都合を抑制することができる。なお、制限部によって当接部の負荷に対する変位量を低減する構成とした場合、すなわち制限部に当たった際の当接部の変位を許容した場合、当接部の過度の変位を抑えつつ当接部と制限部とが接触した際の衝撃の低減に貢献することができる。故に、当接部の保護を一層好適なものとすることができる。
【００３９】
通常、遊技盤の背面側には、開口部を通過して遊技盤の背面側に案内された遊技球を当接部に誘導する誘導通路（例えば回収通路１５１）が設けられることが多い。この誘導通路を介して遊技球が落下することで、遊技球の収集がなされたり、遊技球の落下速度の低減がなされたりする。特に、誘導通路を蛇行させることで、誘導通路を通過する間に遊技球が加速することを抑制したりしている。本手段においては、上述の如く当接部の変位を制限部によって制限できるため、対応可能な負荷の上限を上げることが可能である。仮に、当接部よりも遠く離れた位置（例えば遊技盤の上部等）から落下した遊技球が当たったり、複数の遊技球が当接部に対して同時に当たったりしても、当接部は制限部によって下方から支えられ、過度の変形が抑えられる。故に、局所的に負荷が増大した場合であっても、当接部の塑性変形を回避し、欠け等の不都合が発生することを抑制可能である。
【００４０】
また、当接部に生じる負荷に応じて段階的な対応が可能であるため、当接部及び制限部によって許容可能な負荷の範囲を広げることが可能である。より具体的には、遊技球からの負荷が小さい場合には積極的に打音の低下を図り、遊技球からの負荷が大きい場合には当接部の保護を好適に行うことができる。このため、誘導通路によって遊技球の加速を抑えたり、開口部の配置位置の制約を厳しくしたり（遊技盤の下部周辺に限定したり）しなくてもよい。故に、遊技盤背面側の誘導通路の簡素化に貢献したり、開口部の配置自由度の向上に貢献したりすることができる。
【００４１】
手段６．前記当接部における前記遊技球との接触面（接触面２７０ａ）が、前記排出領域に向かって傾斜していることを特徴とする手段５に記載の遊技機。
【００４２】
手段６によれば、接触面は排出領域に向かって傾斜しているため、遊技球を接触面に沿って排出領域に流れる。これにより、遊技球が接触面上で滞留することを抑制できるとともに、遊技球の排出領域への誘導が可能となる。故に、遊技球の排出を一層円滑なものとすることができる。遊技球が接触面に沿って移動することで、遊技盤と支持枠との境界部位から遠ざかる。仮に、不正行為者が、当接部上の遊技球を境界部位側に向かわせようとした場合、遊技球をその流れ（接触面の傾斜）に逆らって移動させる必要が生じる。これにより、遊技球の不正取得の困難性を高めることができる。なお、接触面は平面であってもよいし、曲面であってもよい。
【００４３】
手段７．前記開口部は前記遊技盤の幅方向に複数形成されているとともに、前記当接部が前記遊技盤の幅方向に延びる長尺状に形成され、前記開口部から落下する前記遊技球が前記当接部の異なる部位に当たる構成とされていることを特徴とする手段５又は手段６のいずれか１つの手段に記載の遊技機。
【００４４】
手段７によれば、遊技球が遊技盤の幅方向において異なる複数の位置で落下する。当接部を遊技盤の幅方向に延びる長尺状に形成したことで、落下する遊技球を幅方向で異なる位置にてそれぞれ受けることができる。このため、それら遊技球が１箇所に集中して当たることで当接部に生じる負荷が局所的に大きくなることを抑えることができる。これにより、当接部に疲労破壊等が生じる可能性を低減できる。また、遊技球の落下径路が複数存在することで、遊技盤の下端部と支持枠との境界部位よりも上側で遊技球が集約されにくい。これにより、不正行為の対象を分散し、効果的な遊技球の取得を困難なものとすることができる。
【００４５】
なお、開口部から離間した遊技球はそのまま下方に落下する構成としてもよいし、遊技盤の背面側に流路を形成する部材等を設けることで、落下方向を規制する構成としてもよい。また、全ての開口部のうち隣接する一部の開口部から離間する遊技球が、同一の流路を通る構成とすることも可能である。
【００４６】
手段８．前記背面カバー補強部材が、前記境界部位の後方で前記遊技盤の背面に対向する縦壁（支持板部２６２の前面）と、前記球当接部よりも下側において前記縦壁から前記遊技盤の背面に向かって延びる天壁（上側延出部２６３の下面）とを少なくとも有していることを特徴とする手段５乃至手段７の少なくともいずれか１つの手段に記載の遊技機。
【００４７】
手段８によれば、遊技盤の下端部と支持枠との境界部位の後方に縦壁が設けられている。境界部位から不正具が挿入されると、その不正具は縦壁に当たり遊技機後方への移動が制限される。不正具を縦壁に沿って上方に移動させると天壁によってその移動が制限され、縦壁を利用した背面カバー補強部材の迂回が回避される。これにより、境界部位後方での不正具の移動を抑制することができる。不正行為者が境界部位を介して遊技球を取得する際には、遊技球の自重落下による勢いを利用して、その境界部位を通過させることが考えられる。かかる場合遊技球へのアクセスは、境界部位よりも上方で行なわれやすい。本手段に示すように背面カバー補強部材が境界部位よりも上側において天壁を有する構成であれば、境界部位よりも上方での遊技球へのアクセスが抑制される。故に、遊技球の取り込みを困難なものとし、境界部位を介して行なわれる不正行為を抑制することができる
なお、背面カバー補強部材が、遊技盤の下端部と支持枠との境界部位の後側において、前方に開口し、境界に沿って左右に延びる溝部（溝部２６５）を有する構成とするとよい。境界部位を介して挿入された不正具が溝部に到達することで、境界部位後方での動きを規制できる。
【００４８】
手段９．前記当接部が左右に延びる板状をなすとともに、その前側端部が自由端とされ、後側の端部が固定端とされていることを特徴とする手段５乃至手段８のいずれか１つの手段に記載の遊技機。
【００４９】
手段９によれば、当接部における遊技盤に近い側の端部を自由端とし、遊技盤から遠い側の端部を固定端とした。当接部は、固定端側を基端として、自由端側が撓む構成となっている。これにより、当接部が撓んだ際の変位量を確保しやすくすることができる。
【００５０】
仮に遊技盤側の端部が固定端である場合、遊技球が遊技盤に沿って落下しすることで固定端側に当たりやすいと考えられる。遊技球が固定端に近い位置であたると、当接部の変位が生じにくいと考えられる。しかしながら、本手段に示すように、遊技盤側を自由端とすることで、遊技球が自由端に近い位置で当たる構成とすることができる。これにより、当接部の変位を好適に実現することができる。
【００５１】
手段１０．前記背面カバー補強部材が、背面カバーへの取付部を有する本体（支持板部２６２）と、前記本体から遊技機前方へ延び、前記当接部の下側に配置される延出部（上側延出部２６３）とを備え、延出部の本体側の端部が固定端、前記固定端と反対の端部が自由端であることを特徴とする手段９に記載の遊技機。
【００５２】
手段１０によれば、背面カバー補強部材の延出部が、当接部と同様に自由端と固定端とを有している。当接部が延出部に当たった際に延出部が撓む構成とすることができる。これにより、当接部と背面カバー補強部材とが当たった際に、当接部に発生する衝撃を低減することができる。すなわち、当接部の保護に貢献することができる。特に、手段８との組み合わせにおいては、背面カバー補強部材を例えば前方に開放された略コ字状に形成するとよい。
【００５３】
手段１１．前記当接部が合成樹脂製とされているとともに、前記背面カバー補強部材は前記当接部より少なくとも高強度又は高硬度の金属製とされていることを特徴とする手段５乃至手段１０のいずれか１つの手段に記載の遊技機。
【００５４】
手段１１によれば、当接部を合成樹脂材料とすることで、遊技球の保護（傷つき等の防止）を図ることができる。かかる場合、当接部の強度不足が懸念される。補強部を当接部より少なくとも高強度又は高硬度の金属製とすることで、当接部の強度不足を好適に補うことができる。また、遊技球が金属部材（補強部）に当たらないことで、遊技球と当接部とが当たった際の金属音の回避（耳障りな音の低減）を図ることができる。また、背面カバー補強部材を金属製としたことで、小さなスペースにおいて剛性の確保を行うことができ、排出領域の設計自由度を増すことができる。背面カバー補強部材を金属製とすることでドリル等の工具を用いて連通孔を形成するといった不正行為を好適に抑制することもできる。
【００５５】
手段１２．前記支持枠が、左右方向に延びる支持枠補強部材（本体枠補強部材２５３）を備え、
遊技機正面視において、前記遊技盤の下端部と前記支持枠との境界部位の下側で、前記支持枠補強部材の上端部と記背面カバー補強部材とが重なっていることを特徴とする手段１乃至手段１１のいずれか１つの手段に記載の遊技機。
【００５６】
手段１２によれば、支持枠補強部材によって支持枠の剛性向上が図られている。支持枠の歪み等が抑えられることで、遊技盤と支持枠との境界部位が拡大されるといった不都合を抑制することができる。支持枠補強部材の一部を背面カバー補強部材と重ねて設けたことで、境界部位に貫通孔を形成し、背面カバー補強部材を回避するようにその貫通孔を拡大されることを抑制することができる。これにより、更なる防犯性の向上を図ることができる。例えば、支持枠補強部材を支持枠の背面側に取り付けるとよい。遊技機前面側からの支持枠補強部材の不正な取り外しを回避することができ、境界部位に対する防犯性を担保することが可能となる。
【００５７】
以下に、以上の各手段を適用し得る遊技機の基本構成を示す。
【００５８】
弾球遊技機：遊技者が操作する操作手段（遊技球発射ハンドル４１）と、その操作手段の操作に基づいて遊技球を弾いて発射する球発射手段（遊技球発射機構１１０）と、その発射された遊技球を所定の遊技領域に導く誘導部（内，外レール部１０１，１０２）と、遊技領域内に配置された各遊技部品（一般入賞口８２等）とを備えた遊技機。
【００５９】
以下、遊技機の一種であるパチンコ遊技機（以下、「パチンコ機」という）の一実施の形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【００６０】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００６１】
遊技機主部１２は、ベース体としての本体枠１３と、その本体枠１３の前方に配置される前扉枠１４と、本体枠１３の後方に配置される裏パック機構１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００６２】
本体枠１３には、図２に示すように、前扉枠１４が回動可能に支持されており、正面視で左側を回動基端側とし右側を回動先端側として前方へ回動可能とされている。また、本体枠１３には、図３に示すように、裏パック機構１５が回動可能に支持されており、正面視で左側を回動基端側とし右側を回動先端側として後方へ回動可能とされている。
【００６３】
次に、前扉枠１４について説明する。なお、以下の説明では、図１〜図３を参照するとともに、前扉枠１４の背面の構成については図５を参照する。図５は、前扉枠１４の背面図である。
【００６４】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００６５】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００６６】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００６７】
前扉枠１４の背面には、図２及び図５に示すように、通路形成ユニット５０が取り付けられている。通路形成ユニット５０は、合成樹脂により成形されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【００６８】
前扉枠１４の背面における回動基端側（図５の右側）には、その上端部及び下端部に突起軸６１，６２が設けられている。これら突起軸６１，６２は本体枠１３に対する組付機構を構成する。また、前扉枠１４の背面における回動先端側（図５の左側）には、図２に示すように、後方に延びる鉤金具６３が上下方向に複数並設されている。これら鉤金具６３は本体枠１３に対する施錠機構を構成する。
【００６９】
次に、本体枠１３について詳細に説明する。図６は本体枠１３の正面図である。
【００７０】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【００７１】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【００７２】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【００７３】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【００７４】
ここで、遊技盤８１の構成を図７に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されているとともにに、風車等の各種部材（役物）が配設されている。
【００７５】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【００７６】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００７７】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【００７８】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【００７９】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【００８０】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【００８１】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【００８２】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【００８３】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【００８４】
次に、本体枠１３の背面構成について説明する。図８は本体枠１３の背面図である。
【００８５】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。
【００８６】
樹脂ベース７１の背面における回動基端側（図８の右側）には、上側軸受け金具１３２及び下側軸受け金具２５０が上下に並設されている。軸受け金具１３２，２５０には、上下に離間させて軸受け部１３３，２５１が形成されており、これら軸受け部１３３，２５１により本体枠１３に対して裏パック機構１５が回動可能に取り付けられている。また、樹脂ベース７１の背面における回動先端側には、裏パック機構１５を本体枠１３に締結するための被締結孔１３４，２５２が設けられている。
【００８７】
樹脂ベース７１の背面には、係止金具１３５が複数設けられており、これら係止金具１３５によって上述したように樹脂ベース７１に対して遊技盤８１が取り付けられている。樹脂ベース７１の下部には、金属板を折り曲げて形成した本体枠補強部材２５３が設けられている。本体枠補強部材２５３は遊技盤８１の下方（詳しくは遊技盤８１と本体枠１３との境界部位よりも下側）に配置されており、その遊技盤８１の下端縁に沿って延びる（左右方向に延びる）長尺状をなす。この本体枠補強部材２５３により本体枠１３の補強が図られている。本体枠補強部材２５３は、長板状の取付部２５４と、取付部２５４に連なる延出部２５５，２５６とを備えている。取付部２５４の板面は、樹脂ベース７１の背面とほぼ同一面上となるように構成されている。また、取付部２５４は、遊技盤８１の下端縁に沿って延びている。延出部２５５，２５６は取付部２５４の前面側に形成されている。詳述すれば、延出部２５５，２５６は、取付部２５４の上側及び下側の長辺から樹脂ベース７１の前面に向かって延びている。これら取付部２５４及び延出部２５５，２５６に囲まれた部分によって、パチンコ機１０の前方に開放された溝部２５７が構成されている。
【００８８】
樹脂ベース７１には、この本体枠補強部材２５３に対応して凹んだ収容凹部２５８が形成されている。本体枠補強部材２５３は、収容凹部２５８に収容された状態でビス等の締結具により固定されている。
【００８９】
遊技盤８１の背面の構成を説明する。図９は遊技盤８１を後方より見た斜視図、図１０は遊技盤８１から主制御装置ユニット１６０を取り外した状態を示す背面図である。
【００９０】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００９１】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００９２】
遊技盤８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【００９３】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【００９４】
入賞検知機構について説明すると、集合板ユニット１５０には、遊技盤８１表側の一般入賞口８２と対応する位置に入賞口スイッチ１５２が設けられ、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。なお、集合板ユニット１５０外における可変表示ユニット８６の左右両側には、スルーゲート８５を通過する遊技球を検知するゲートスイッチ１５５が設けられている。
【００９５】
遊技盤８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【００９６】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００９７】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【００９８】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【００９９】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０１００】
次に、裏パック機構１５について説明する。図１２は裏パック機構１５の正面図、図１３は裏パック機構１５の分解斜視図である。
【０１０１】
裏パック機構１５は、裏パック２０１及び制御装置集合ユニット２６０を備えている。裏パック２０１及び制御装置集合ユニット２６０は、裏パック２０１を上側、制御装置集合ユニット２６０を下側として配置されている。より詳しくは、制御装置集合ユニット２６０の一部分が裏パック２０１に対してパチンコ機１０の後方から重なる構成となっている。
【０１０２】
裏パック２０１は、遊技盤８１の背面側すなわち音声ランプ制御装置ユニット１４２等を覆っている。これにより、音声ランプ制御装置ユニット１４２等の保護を図っている。本パチンコ機１０においては、島設備からの遊技球の供給がパチンコ機１０（詳しくは裏パック２０１）の上方より行なわれる。例えば遊技球がこぼれた場合、裏パック２０１によって、音声ランプ制御装置ユニット１４２等への遊技球の衝突を回避することができる。
【０１０３】
次に裏パック２０１の主要な構成について説明する。裏パック２０１は、骨格をなすベース部２１１とパチンコ機１０後方に突出し略直方体形状をなす保護カバー部２１２とを備えている。これらベース部２１１及び保護カバー部２１２は、合成樹脂材料によりそれぞれ別体で設けられており、ビス等の締結具によって結合されている。ベース部２１１は、矩形枠の下枠部分を除いた形状（門型状）をなす。保護カバー部２１２は、左右側面及び上面が閉鎖され且つ下面のみが開放された形状をなし、ベース部２１１によって囲まれた領域を覆っている。ベース部２１１の左右両側の下端部は保護カバー部２１２よりも下方へ突出している。以下、ベース部２１１における、それら下方に突出した部分を、下方突出部２１１ａ，２１１ｂと称する。
【０１０４】
なお、ベース部２１１及び保護カバー部２１２は、透明性を有する合成樹脂で構成されている。このため、裏パック２０１を取り付けた状態であっても、遊技盤８１の背面側（例えば主制御装置ユニット１６０等）が視認可能となっている。本実施の形態においては、ベース部２１１及び保護カバー部２１２を別体で設け、締結具によって結合（一体化）したが、両者を合成樹脂材料により一体成形することも可能である。
【０１０５】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１における本体枠１３の回動基端側の端部には上下一対の掛止ピン２１４が設けられており、掛止ピン２１４を本体枠１３に設けられた前記軸受け部１３３に挿通させることで、裏パック２０１が本体枠１３に対して回動可能に支持されている。
【０１０６】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０１０７】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０１０８】
払出機構部２０２には、裏パック基板２２９が設置されている。裏パック基板２２９には、例えば交流２４ボルトの主電源が供給され、電源スイッチ２２９ａの切替操作により電源ＯＮ又は電源ＯＦＦとされるようになっている。
【０１０９】
ベース部２１１の下部には、ベース部２１１よりも高硬度且つ高強度な金属製の裏パック補強部材２６１が設けられている。裏パック補強部材２６１は、裏パック２０１の左右方向の長さとほぼ同等の長さを有する。この裏パック補強部材２６１によってベース部２１１の左右の下方突出部２１１ａ，２１１ｂが繋がれている。換言すれば、裏パック補強部材２６１によって、ベース部２１１が環状をなす構成となっている。これにより、裏パック２０１の剛性向上が図られている。
【０１１０】
裏パック補強部材２６１を高強度な金属製とすることで、特に裏パック２０１の下部における剛性を担保することが容易となる。これにより裏パック２０１の下部に後方に開放された部位（すなわち保護カバー部２１２によって覆われない部位）を設けることができる。保護カバー部２１２を大型化したり、下方の開放部分を閉じたりすることで剛性を向上することも可能であるが、かかる場合、補強に必要となるスペースが増大しやすいと考えられる。しかしながら、本実施の形態においては、裏パック補強部材２６１に金属材を用いることで、より少ないスペースでの補強を達成している。これにより、保護カバー部２１２の大型化等を抑制し、裏パック２０１の下部における構成部品の配置自由度の向上に貢献している。
【０１１１】
図４等に示すように、裏パック２０１における後方に開放された部位（保護カバー部２１２によって覆われていない部位）の前方に前記主制御装置１６２が配置されており、主制御装置１６２の大半がパチンコ機１０の後方から直接視認可能となっている。すなわち、裏パック２０１を閉じた状態での主制御装置１６２の視認性の向上が図られている。これにより、主制御装置１６２のメンテナンス性の向上、及び主制御装置１６２に対する不正発見の容易化に貢献している。
【０１１２】
図１３や図１４等に示しように、裏パック補強部材２６１は、遊技盤８１の下端部と本体枠１３との境界部位の後方に配置された支持板部２６２を有する。支持板部２６２は、遊技盤８１の下端縁に沿って延びる長板状をなしている。その支持板部２６２の板面は、遊技盤８１の背面とベース部２１１の背面とに対向している。支持板部２６２の上側の端部には、遊技盤８１の背面に向かって（パチンコ機１０の前方に）延びる上側延出部２６３が形成されている。また、支持板部２６２の下側の端部には、本体枠１３の背面に向かって（パチンコ機１０の前方に）延びる下側延出部２６４が形成されている。これら支持板部２６２と上側延出部２６３と下側延出部２６４とにより、裏パック補強部材２６１が構成されている。なお、裏パック補強部材２６１は、長板材の各長辺を同一側に折り曲げて形成されている。このため、支持板部２６２と両延出部２６３，２６４とが隙間無く連続している。裏パック補強部材２６１を、切削や鋳造等の加工手段によって製造することも可能である。
【０１１３】
また、支持板部２６２と上側延出部２６３と下側延出部２６４とにより囲まれた部分によって溝部２６５が形成されている（図３等参照）。溝部２６５は、遊技盤８１の下端縁に沿って延びるとともに、前方に開放された断面略コ字状をなしている。
【０１１４】
上側延出部２６３は遊技盤８１に対して近接して設けられている。より詳しくは、上側延出部２６３と遊技盤８１との間には遊技球の直径寸法よりも小さなクリアランスが設けられている。下側延出部２６４と本体枠１３（詳しくは本体枠補強部材２５３）との関係も同様である。これにより、裏パック補強部材２６１と遊技盤８１及び本体枠１３との間に遊技球が嵌まり込むといった不都合を回避している。なお、上側延出部２６３と遊技盤８１との間の隙間は必ずしも必要ではなく、両者が接触する構成とすることも可能である。下側延出部２６４及び本体枠１３（詳しくは本体枠補強部材２５３）についても同様に、両者が接触する構成としてもよい。
【０１１５】
支持板部２６２の左右の端部には、ベース部２１１への取付部たる貫通孔（図示略）が形成されており、裏パック補強部材２６１はそれら貫通孔にビス等の締結具を通した状態でベース部２１１に固定されている。
【０１１６】
再び図１２等を用いて、前記制御装置集合ユニット２６０について説明する。上述したように、制御装置集合ユニット２６０は、ベース部２１１に一部重なった状態で配置されている。制御装置集合ユニット２６０は、裏パック２０１とほぼ同等の大きさ（左右方向寸法）を有している。制御装置集合ユニット２６０は、本体枠１３への取付部を有する取付台２４１を備えている。取付台２４１には、遊技球をパチンコ機１０の外部へ排出する排出通路盤２０３と、遊技球の払い出しを制御する払出制御装置２４２と、電源及び発射制御装置２４３（以下、電源装置２４３ともいう）とが取り付けられている。より詳細には、取付台２４１を前後に挟むようにして、排出通路盤２０３と各制御装置２４２，２４３が取付台２４１に取り付けられている。なお、本実施の形態では、電源装置に発射制御装置を含める構成したが、電源装置に発射制御装置を含めない構成としてもよい。すなわち、電源装置と発射制御装置とを別体で構成することも可能である。
【０１１７】
取付台２４１は、裏パック２０１とほぼ同等の大きさ（左右方向の大きさ）の略矩形状をなし、ベース部２１１の下端部から本体枠１３の下端部までのほぼ全域を覆っている。より詳しくは、ベース部２１１の下方突出部２１１ａ，２１１ｂと裏パック補強部材２６１とをパチンコ機１０の後方から覆っている。以下、取付台２４１におけるパチンコ機１０の後側を取付台２４１の表面側、パチンコ機１０の前側を取付台２４１の背面側として説明する。
【０１１８】
取付台２４１の表面側には、上述した電源装置２４３が設けられている。電源装置２４３は、ビス等の締結具によって取付台２４１に固定されている。この電源装置２４３には、払出制御装置２４２がビス等の締結具によって固定されている。すなわち、取付台２４１と払出制御装置２４２とによって電源装置２４３が前後で挟まれた状態となっている。
【０１１９】
電源装置２４３は、その基板のハンダ面を取付台２４１の表面と対向させて配置されている。取付台２４１は、裏パック２０１同様、透明性を有する合成樹脂により成形されている。このように透明性を有することで、電源装置２４３のハンダ面が取付台２４１を介して視認可能となっている。因みに、払出制御装置２４２を取付台２４１に取り付け、払出制御装置２４２に電源装置２４３を取り付ける構成とすることも可能である。
【０１２０】
取付台２４１における、本体枠１３の回動基端側と同一側の端部には、上下一対の掛止ピン２６６が設けられている。掛止ピン２６６を本体枠１３に設けられた軸受け部２５１に挿通させることで、取付台２４１（制御装置集合ユニット２６０）が本体枠１３に対して回動可能に支持されている。
【０１２１】
本実施の形態においては特に、取付台２４１の回動基軸と裏パック２０１の回動基軸とが同一軸線上に設けられており、取付台２４１及び裏パック２０１の両者を一体として開閉することが可能となっている。より詳しくは、上述のごとく裏パック２０１と制御装置集合ユニット２６０（詳しくは取付台２４１）とは回動方向に重なる配置となっている。このため、裏パック２０１を開方向へ回動させる際には、制御装置集合ユニット２６０を同時又は事前に開方向へ回動させる必要がある。一方、制御装置集合ユニット２６０は、単独で開方向へ回動させることが可能となっている。
【０１２２】
取付台２４１の回動先端側には、裏パック２０１に設けられた被締結孔１３４，２５２に対して締結するための締結具２１５，２６７が上下に並設されており、当該締結具２１５，２６７を被締結孔１３４，２５２に嵌め込むことで本体枠１３に対して取付台２４１が固定されている。より詳細には、下側の締結具２６７は被締結孔２５２に直接嵌め込まれる一方、上側の締結具２１５は裏パック２０１のベース部２１１に形成された貫通孔２６８に挿通された状態、すなわちベース部２１１を間に挟んだ状態で被締結孔１３４に嵌め込まれる。これにより、制御装置集合ユニット２６０（取付台２４１）及び裏パック２０１が本体枠１３に対して固定される。
【０１２３】
次に排出通路盤２０３の主要な構成について説明する。排出通路盤２０３は、取付台２４１の背面と対向する板状の基部２３０を備えている。基部２３０には図示せぬ複数の貫通孔が形成されており、排出通路盤２０３は、これら貫通孔にビス等の締結具を挿通した状態で取付台２４１に固定されている。基部２３０における取付台２４１と対向する面には、後方へ開放された排出通路２３１が形成されている。排出通路２３１の開放部は取付台２４１によって塞がれている。排出通路盤２０３も取付台２４１と同様に透明性を有する合成樹脂により形成されており、球詰まり等の確認が容易となっている。
【０１２４】
基部２３０には、回収通路１５１やアウト口８７から落下した遊技球が当たる球受け部２７０が設けられている。球受け部２７０は、基部２３０の上端縁において、遊技盤８１の背面に向かって延びる板状に形成されている。換言すれば、球受け部２７０は、その後端部において、取付台２４１に固定された基部２３０と連結された状態となっている。球受け部２７０の下方には、他の構成部品（詳しくは後述する裏パック補強部材２６１）との間で空間が形成されている。このため、球受け部２７０の下方への撓み変形が許容されている。
【０１２５】
ここで、図１３を用いて、球受け部２７０と排出通路２３１との相互の関係について説明する。球受け部２７０は、前記排出通路２３１よりも前方に配置されており、遊技盤８１から排出通路２３１に向けて下り傾斜している。球受け部２７０の上面は、アウト口８７等から落下する遊技球が接触する平面状の接触面２７０ａを構成している。これにより、接触面２７０ａに当たった遊技球は、接触面２０ａの傾斜によって球受け部２７０の後方に設けられた排出通路２３１に誘導される。
【０１２６】
球受け部２７０と排出通路２３１の上部（遊技球の入口部位）とは、ほぼ同等の大きさ（左右方向寸法）で形成されている。排出通路２３１に分散された状態で誘導された遊技球は、排出通路２３１を下るに従い集約され、排出通路２３１の下端部に設けられた排出口２３２から遊技機外部へと排出される。
【０１２７】
このように球受け部２７０上で遊技球を集約するのではなく排出通路２３１にて遊技球の集約することで、球受け部２７０上で遊技球が滞留し、滞留中の遊技球と新たに落下してきた遊技球とが当たるといった不都合を生じにくい。これにより、遊技球同士が勢いよく当たることで発生する打音を好適に抑制することができる。
【０１２８】
排出通路盤２０３は、裏パック２０１の裏パック補強部材２６１を収容する収容部２７１が設けられている（図３参照）。より具体的には、球受け部２７０の下方には、球受け部２７０と対向する平板部２７２が設けられている。平板部２７２は、球受け部２７０とほぼ同等の大きさ（左右方向寸法）を有する。平板部２７２と本体枠１３との関係は、球受け部２７０と遊技盤８１との関係と同様である。すなわち、平板部２７２は、基部２３０から本体枠１３の背面に向かって延設されている。これら球受け部２７０と平板部２７２と基部２３０とで囲まれた領域によって、収容部２７１が構成されている。収容部２７１はパチンコ機１０の前方に開放された溝状をなす。
【０１２９】
球受け部２７０の下面（収容部２７１の天壁）と裏パック補強部材２６１の上側延出部２６３の上面（補強面２６３ａ）とは略平行に形成されており、補強面２６３ａは、裏パック補強部材２６１が収容部２７１に収容された状態で球受け部２７０に対し若干のクリアランス(本実施の形態においては０．２〜０．３ｍｍ程度)を有する。
【０１３０】
なお、上述したように球受け部２７０（詳しくはその下面）を傾斜させることで、裏パック補強部材２６１が、収容部２７１に収容される際に収容部２７１と引っ掛かるといった不都合を抑制することができる。制御装置集合ユニット２０４は裏パック２０１に対して独立開閉が可能となっている。これにより、球受け部２７０の破損等の確認や球受け部２７０等に対する不正等の確認が容易なものとなっている。制御装置集合ユニット２０４は、上述の如く電源装置２４３等を備えており重量がかさみやすい。制御装置集合ユニット２０４が回動する際には自重によって下方に下ることが考えられる。裏パック補強部材２６１に対する相対位置が下方に位置がばらついた状態で収容部２７１に収容される場合、上側延出部２６３の後端部（詳しくは補助面２６３ａの後端縁）が球受け部２７０の下面に当たる。収容部２７１の前方への移動に伴って裏パック補強部材２６１が収容部２７１へ嵌まり込む際に、裏パック補強部材２６１は球受け部２７０の下面沿って収容部２７１の奥側へ案内される。このため、裏パック補強部材２６１と収容部２７１との引っ掛かりを抑制し、作業性を担保することができる。
【０１３１】
裏パック２０１に対する制御装置集合ユニット２０４の位置決めは、これら収容部２７１及び裏パック補強部材２６１以外の部分で行なわれる。具体的には、係止ピン２６６が下側軸受け金具２５０に嵌まった状態で、制御装置集合ユニット２０４の回動先端側に設けられた図示せぬと突起が裏パック２０１の下方突出部２１１ａに設けられた図示せぬ円筒部に嵌まることで位置決めがなされている。すなわち、制御装置集合ユニット２０４を閉じる際には、先ず裏パック補強部材２６１及び収容部２７１によってガイドされ、突起や円筒部等によって位置決めがなされる。位置決めがなされた状態においては、裏パック補強部材２６１及び収容部２７１の間に上記クリアランスが確保された状態となる。
【０１３２】
収容部２７１の下側であって、本体枠１３と排出通路２３１との間に形成される空間には、縦横に交差するようにして複数のリブ２７３が形成されている（図３参照）。これらリブ２７３によって排出通路２３１を本体枠１３から離間させるとともに、当該排出通路２３１の補強を行っている。なお、これらリブ２７３は、本体枠１３と排出通路盤２０３との間に形成される空間を細分化し、不正基板等の設置を抑制する不正防止手段としての機能を併せ有する。
【０１３３】
上述したアウト口８７や回収通路１５１等から排出された遊技球は、球受け部２７０を介して排出通路２３１に導かれる。排出通路２３１は遊技ホールの島設備等へ遊技球を排出するように形成されており、同排出通路２３１を通ることで遊技球がパチンコ機１０外部に排出される。
【０１３４】
ここで、図１４に基づき、パチンコ機１０の完成状態における、本体枠１３及び遊技盤８１の境界部位と裏パック機構１５との位置関係について説明する。図１４は、図４のＡ−Ａ線部分端面図である。なお、図４における右側がパチンコ機１０における前側であり、同図４の左側がパチンコ機１０における後側である。
【０１３５】
裏パック補強部材２６１は、本体枠１３と遊技盤８１の下端部との間に形成された前後方向に延びる境界部位の後方に配置されている。より詳しくは、裏パック補強部材２６１の溝部２６５が境界部位の後方に配置されている。また、裏パック補強部材２６１の下端縁は、本体枠補強部材２５３の上端縁よりも下方となるように設定されている。つまり、パチンコ機１０の正面視においては、裏パック補強部材２６１の上端部と本体枠補強部材２５３の下端部とが重なっている。排出通路２３１は、裏パック補強部材２６１よりも後方に設けられており、裏パック補強部材２６１によって本体枠１３と遊技盤８１の下端部との境界部位から遮蔽された状態となっている。なお、本体枠１３と遊技盤８１の下端部との境界部位の前方には前扉枠１４が設けられており、前扉枠１４を閉じた状態においてはパチンコ機１０の前方からの前記境界部位の視認しにくくなっている。
【０１３６】
ここで、遊技球の排出の流れについて同図１４を用いて説明する。一般入賞口８２等に入賞した遊技球Ｂは回収通路１５１を通り、遊技盤８１の背面側で自重落下する。また、一般入賞口８２等に入らず遊技領域を流下した遊技球Ｂはアウト口８７を介して遊技盤８１の背面側で自重落下する。このように落下した遊技球Ｂは、球受け部２７０に当たる。遊技球Ｂの落下経路は複数設けられており、球受け部２７０の複数箇所に分散して当たる。このため、球受け部２７０に生じる負担が局所的に集中しない構成となっている。
【０１３７】
遊技球Ｂが球受け部２７０に当たることで、球受け部２７０は下方（すなわち裏パック補強部材２６１との距離を縮める方向）に撓む。遊技球Ｂが複数同時に当たる等して、球受け部２７０の撓みが大きくなると、球受け部２７０が裏パック補強部材２６１（詳しくは上側延出部２６３）の前端部に当たる。これにより球受け部２７０の変形が制限される（止められる）。減勢された遊技球Ｂは球受け部２７０の接触面２７０ａに沿って排出通路２３１に案内される。遊技球Ｂは排出通路２３１を通過することで集約され、パチンコ機１０の外部（例えば島設備）に返却される。
【０１３８】
再び図１２及び図１３を用いて、払出制御装置２４２と電源装置２４３とについて詳細に説明する。上述したように、払出制御装置２４２と電源装置２４３とは、取付台２４１の表面側に重ねて搭載されている。
【０１３９】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１４０】
電源及び発射制御装置２４３は、基板ボックス２４６内に電源及び発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１４１】
次に、パチンコ機１０の電気的構成について、図１５のブロック図に基づいて説明する。図１５では、電力の供給ラインを二重線矢印で示し、信号ラインを実線矢印で示す。
【０１４２】
主制御装置１６２に設けられた主制御基板３０１には、主制御回路３０２と停電監視回路３０３とが内蔵されている。主制御回路３０２には、ＣＰＵ３１１が搭載されている。ＣＰＵ３１１には、当該ＣＰＵ３１１により実行される各種の制御プログラムや固定値データを記憶したＲＯＭ３１２と、そのＲＯＭ３１２内に記憶される制御プログラムの実行に際して各種のデータ等を一時的に記憶するためのメモリであるＲＡＭ３１３と、割込回路やタイマ回路、データ入出力回路などの各種回路が内蔵されている。
【０１４３】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０１４４】
ＣＰＵ３１１には、アドレスバス及びデータバスで構成されるバスラインを介して入出力ポートが接続されている。主制御回路３０２の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、主制御回路３０２には停電監視回路３０３を介して電力が供給される。
【０１４５】
一方、主制御回路３０２の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０１４６】
停電監視回路３０３は、主制御回路３０２と電源及び発射制御基板３２１とを中継し、また電源及び発射制御基板３２１から出力される最大電源である直流安定２４ボルトの電源を監視する。
【０１４７】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０１４８】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０１４９】
払出制御基板３２２のＣＰＵ３３１には、アドレスバス及びデータバスで構成されるバスラインを介して入出力ポートが接続されている。払出制御基板３２２の入力側には、主制御回路３０２、電源及び発射制御基板３２１、及び裏パック基板２２９が接続されている。また、払出制御基板３２２の出力側には、主制御回路３０２及び裏パック基板２２９が接続されている。
【０１５０】
電源及び発射制御基板３２１は、電源部と発射制御部とを備えている。電源部は、二重線矢印で示す経路を通じて、主制御回路３０２や払出制御基板３２２等に対して各々に必要な動作電力を供給する。発射制御部は、遊技者による遊技球発射ハンドル４１の操作にしたがって遊技球発射機構１１０の発射制御を担うものであり、遊技球発射機構１１０は所定の発射条件が整っている場合に駆動される。
【０１５１】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０１５２】
音声ランプ制御基板３２４のＣＰＵ３４１にはアドレスバス及びデータバスで構成されるバスラインを介して入出力ポートが接続されている。音声ランプ制御基板３２４の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０１５３】
以上詳述した本実施の形態によれば、以下の優れた効果を奏する。
【０１５４】
図１４に示すように、裏パック補強部材２６１を、遊技盤８１の下端部と本体枠１３との境界部位の後方に配置した。パチンコ機１０の前方から境界部位に不正具が挿入された際には、その不正具が裏パック補強部材２６１に当たる。これにより、不正具の侵入を抑え、遊技盤８１の背面側を流下する遊技球（アウト球）にアクセスされるといった不都合を抑制することができる。また、主制御装置１６２や払出制御装置２４２への不正なアクセスを抑制することもできる。故に、裏パック補強部材２６１によって裏パック２０１の補強と、境界部位を介して行なわれる不正の抑制とを実現することができる。
【０１５５】
遊技盤８１を、本体枠１３に対してパチンコ機１０後方から着脱する構成としたことで、パチンコ機１０前方からの遊技盤８１の取り外しを規制できる。すなわち、遊技盤８１の着脱を行う際には、本体枠１３を開放するとともに裏パック機構１５を開放しなければならない。前扉枠１４を開放しただけで遊技盤８１の取り外しが可能となる構成よりも、防犯性を高めることができる。
【０１５６】
かかるパチンコ機において遊技盤８１と本体枠１３との境界部位を後方から覆う遮蔽部材等を設定した場合、遊技盤８１をメンテナンス等で着脱する度に遮蔽部材の着脱又は移動を行う必要が生じると考えられる。すなわち、不正抑制を図ることができる反面、メンテナンス作業が煩雑化したり、遮蔽部材の取り付け作業が過誤により行われなかったりする等の不都合が生じ得る。特に遮蔽部材が装着されないまま裏パック機構１５（詳しくは裏パック２０１）が取り付けられた場合、遮蔽部材の有無の確認がしにくくなり装着忘れの発見が遅れるといった不都合が生じるおそれがある。
【０１５７】
本実施の形態においては、裏パック２０１の裏パック補強部材２６１に遮蔽手段としての機能を付与した。裏パック補強部材２６１は裏パック２０１に設けられているため、裏パック２０１の開放に伴い、裏パック補強部材２６１は境界部位から離間する。このため、遊技盤８１着脱の都度、裏パック補強部材２６１の取り外し及び取り付け作業を別途行う必要が無い。故に、遊技盤８１及び境界部位に対する不正を抑制しつつ、不正対策に起因する作業の煩雑化を回避することができる。また、裏パック補強部材２６１の取り付け作業が過誤により行われなかったりする等の不都合を抑制することもできる。
【０１５８】
図１３及び図１４に示すように、裏パック補強部材２６１が支持板部２６２と上下の延出部２６３，２６４とを有する構成とした。これにより、裏パック補強部材２６１の所望とする断面係数を確保し裏パック２０１の補強を好適に行うことができる。また、これら支持板部２６２と延出部２６３，２６４によって形成される溝部２６５を、遊技盤８１と本体枠１３との後方となるように配置した。境界部位を介して挿入された不正具が溝部２６５に嵌まった場合、その不正具の移動を制限することができる。例えば、溝部２６５の周面にそって不正具が移動され、裏パック補強部材２６１が迂回されるといった不都合を抑制することができる。故に、裏パック２０１の剛性を高めつつ防犯性の向上を図ることができる。
【０１５９】
また、裏パック補強部材２６１を遊技盤８１と本体枠１３とに近接して設けた。より詳しくは、裏パック補強部材２６１の上側延出部２６３と遊技盤８１とを両者の間を遊技球が通過できない程度に近づけて配置するとともに、裏パック補強部材２６１の下側延出部２６４と本体枠１３（詳しくは本体枠補強部材２５３）とを両者の間を遊技球が通過できない程度に近づけて配置した。このため、仮に、裏パック補強部材２６１を迂回して遊技球にアクセスされた場合であっても、遊技球を、裏パック補強部材２６１を迂回させて境界部位へ到達させることが困難となる。これにより、境界部位を介して行なわれる不正を一層好適に抑制することができる。
【０１６０】
裏パック補強部材２６１が制御装置集合ユニット２６０の収容部２７１に嵌まる構成とした。すなわち、裏パック補強部材２６１の後側に収容部２７１の内周面が存在する構成とした。これにより、裏パック補強部材２６１が移動を収容部２７１によって規制することができる。仮に、不正具等により裏パック補強部材２６１を後方へ押された場合であっても、裏パック補強部材２６１が壁部に当たることでその移動を抑えることができる。すなわち、裏パック補強部材２６１と遊技盤８１等との間隔の広がりを抑制し、裏パック補強部材２６１と遊技盤８１等との間を遊技球が通過可能になるといった不都合を回避することができる。故に、不正防止効果を一層向上することができる。
【０１６１】
同じく図１４に示すように、本体枠１３の本体枠補強部材２５３と裏パック補強部材２６１とが、パチンコ機１０の正面視において前後に重なっている。例えば、境界部位を介して遊技球の不正取得を行うために、ドリル等の工具によって境界部位に絡めて貫通孔が形成されたり、裏パック補強部材２６１を回避すべく、貫通孔の形成位置を上下にずらされたりすることが想定される。かかる場合、両補強部材２５３，２６１を重ねて配置することで裏パック補強部材２６１を迂回するように貫通孔等を形成することが困難となる。すなわち、両者を重ねて配置することで、遊技盤８１の下端部と本体枠１３との境界部位周辺に対して行なわれる不正を好適に抑制することができる。因みに、両補強部材２５３，２６１がともに前方に開放された溝部２５７，２６５を備えている。このため、不正具が補強部材２５３，２６１の周面に沿って移動させられることでそれら補強部材２５３，２６１が迂回されるといった不都合を抑制することができる。故に、更なる防犯性の向上に貢献することが可能である。
【０１６２】
遊技盤８１の遊技領域を流下した遊技球は、遊技盤８１の一般入賞口８２やアウト口８７等を介して遊技盤８１の背面側に案内される。遊技盤８１の背面側方に至った遊技球は、下方に落下し、裏パック機構１５の球受け部２７０に当たる。このように遊技球が球受け部２７０に当たった際には球受け部２７０が下方に撓み、遊技球と球受け部２７０との打音を低減することが可能となる。
【０１６３】
球受け部２７０に落下する遊技球においては、球受け部２７０の変形によってその落下エネルギの一部が吸収されやすくなっている。すなわち、仮に球受け部２７０上で複数回跳ね返ったとしても、２回目以降の跳ね返り時の打音が積極的に低減される。
【０１６４】
なお、球受け部２７０は排出通路２３１の入口に向かって僅かに傾斜しているため、遊技球が球受け部２７０上に留まることなく、排出通路２３１に誘導されやすくなっている。
【０１６５】
本実施の形態においては、球受け部２７０を合成樹脂製とした。これにより、遊技球が球受け部２７０に衝突した際の不快な打音を低減することができる。一方、裏パック補強部材２６１を金属製とした。これにより、所望とする強度を容易に担保することができ、球受け部２７０の補助を好適に行うことができる。裏パック補強部材２６１は裏パック２０１の補強部材としての機能を有し、裏パック２０１を開放した際の歪みを抑え、作業性の向上に貢献している。さらに、裏パック２０１を本体枠１３に固定した状態では、本体枠１３の補強にも寄与している。図２等に示すように、本体枠が大きな開口部を有する場合、剛性の確保が困難になりやすい。かかる場合、裏パック補強部材２６１によって、本体枠１３を含む複数の対象を補強することによる技術的貢献度は大きいものとなる。
【０１６６】
また、球受け部２７０と裏パック補強部材２６１の上側延出部２６３との間に若干の隙を設けた。これにより、同時に球受け部２７０に衝突する遊技球の量に応じて、減勢の対応を変化させることができる。より詳しくは、球受け部２７０に同時に衝突する遊技球の量が少ないときは、球受け部２７０のみを撓ませて積極的に打音の低減を図ることができる。一方、球受け部２７０に同時に衝突する遊技球の量が多くなると、球受け部２７０にかかる負担が増大する。かかる場合、球受け部２７０が撓むことで裏パック補強部材２６１に接触し、球受け部２７０の撓みが制限される（止められる）。これにより、球受け部２７０の過度の変形を抑えることができる。故に、球受け部２７０が塑性領域まで変形し、撓みが機能しなくなることで、打音低減の機能が損なわれるといった不都合を抑制できる。また、球受け部２７０が撓みすぎることで割れや欠け等が生じ、遊技球の流れが妨げられるといった不都合も抑制することができる。
【０１６７】
遊技盤８１の背面側には、回収通路１５１が設けられており、この回収通路１５１を介して遊技球が落下することで、遊技球の収集がなされたり、遊技球の落下速度の低減がなされたりする。上述の如く、球受け部２７０に生じる負荷に応じて段階的な対応を可能とすることで、許容可能な負荷の範囲を広げることができる。すなわち、裏パック補強部材２６１によって塑性領域まで変形することを回避できるため、例えば球受け部２７０に対してより大きい負荷（例えば離れた位置からの遊技球の落下）を許容することができる。これにより、回収通路１５１による遊技球の減速の必要性を抑えることができ、回収通路１５１の簡略化に貢献できる。例えば、遊技盤８１の上側に一般入賞口８２等の開口を設けた場合であっても、遊技球の落下距離の増加に応じて、球受け部２７０に至るまで遊技球の加速を抑える蛇行通路等を設けなくてもよい。また、仮に一般入賞口８２等の開口を上下に複数並設されている場合、それら開口からの落下球が上下に重なって球受け部２７０に当たればその負荷は大きなものとなる。各開口から落下する遊技球を球受け部２７０の異なる位置に誘導するように通路を設定することで、遊技球が重なって当たることを回避可能ではあるが、これに起因して回収通路１５１は複雑化することとなる。上述したように、球受け部２７０が大きな負荷を許容可能とすることで、遊技球が上下に重なって当たることを許容することができ、回収通路１５１の簡素化に貢献できる。
【０１６８】
上述の如く球受け部２７０及び裏パック補強部材２６１を設けることで、遊技球の打音低減を図りつつ、球受け部２７０の保護を可能とし、更に回収通路１５１の簡略化に貢献することができる。
【０１６９】
裏パック補強部材２６１は裏パック２０１の補強部材としての機能を有し、裏パック２０１を開放した際の歪みを抑え、作業性の向上に貢献している。さらに、裏パック２０１を本体枠１３に固定した状態では、本体枠１３の補強にも寄与している。図２等に示すように、本体枠が大きな開口部を有する場合、剛性の確保が困難になりやすい。かかる場合、裏パック補強部材２６１によって、本体枠１３を含む複数の対象を補強することによる技術的貢献度は大きいものとなる。
【０１７０】
なお、制御装置集合ユニット２６０の収容部２１７と裏パック補強部材２６１とは、共に略コ字状断面を有しパチンコ機１０の後方で窄む構成となっている。このため、球受け部２７０（詳しくは収容部２７１）と裏パック補強部材２６１とが近接して配置されていたとしても、組み付け時に引っ掛かるといった不都合を回避することができる。故に、作業の煩雑化を回避することができる。
【０１７１】
なお、上述した実施の形態の記載内容に限定されず、例えば次のように実施してもよい。
【０１７２】
（ａ）上記実施の形態では、図８や図１０等に示すように、パチンコ機１０の正面視（又は背面視）において遊技盤８１の下端部が左右に延びる直線状をなす構成としたが、遊技盤８１の下端部が上方に凸又は下方に凸となる湾曲状をなす構成としてもよい。かかる場合、遊技盤８１の下端部と本体枠１３との境界部位もパチンコ機１０の正面視において湾曲状をなすと想定される。ここで、図１６（裏パック補強部材の変形例を示す概略図）を用いて「背面カバー補強部材」としての裏パック補強部材の変形例について説明する。図１６の（ａ）及び（ｂ）は、遊技機の背面から見た概略図である。図１６の（ａ）に示すように、裏パック補強部材２８０の上下方向寸法を大きくすることで、境界部位の湾曲に対応することができる。また、図１６の（ｂ）に示すように、裏パック補強部材２８１を湾曲状で構成することで境界部位の湾曲に可能することも可能である。なお、図１６（ｃ）〜（ｆ）は、裏パック補強部材の概略を示す、Ａ−Ａ線部分端面図である。
【０１７３】
（ｂ）上記実施の形態では、図１４に示すように、裏パック補強部材２６１が本体枠１３及び遊技盤８１との間に隙間を有する構成とした。これを変更し、裏パック補強部材２６１が本体枠１３及び遊技盤８１の少なくともいずれかに接触する構成としてもよい。なお、本体枠１３に代えて本体枠補強部材２５３に接触する構成とすることも可能である。
【０１７４】
また、図１６の（ｃ）に示すように、本体枠１３及び遊技盤８１において裏パック補強部材２６１の延出部２６３，２６４の先端部に対応する部位に凹部２８２，２８３を形成し、それら凹部に延出部２６３，２６４の先端部を収容する構成としてもよい。このように、裏パック補強部材２６１と本体枠１３及び遊技盤８１とを上下方向で重ねることで、遊技盤８１の下端部と本体枠１３との境界部位から不正具が挿入された際に、裏パック補強部材２６１の上側又は下側を迂回して遊技球にアクセスされるといった不都合を好適に抑制できる。故に、更なる防犯性の向上を図ることが可能となる。
【０１７５】
（ｃ）上記実施の形態では、「当接部」としての球受け部２７０と裏パック補強部材２６１とを別体で設けたが、これを変更し、球受け部２７０と裏パック補強部材２６１とを一体で設けてもよい。例えば、球受け部と裏パック補強部材２６１とを一体成形してもよいし、裏パック補強部材２６１の補強面２６３ａを球受け部としてもよい。但し、球受け部を金属製とすると、遊技球の摩耗が促進されたり、遊技球が当たった際の打音が大きくなったりするといった不都合が生じるおそれがある。かかる場合、球受け部（裏パック補強部材２６１の補強面２６３ａ）に不織布やゴムシート等を貼り付けるとよい。
【０１７６】
（ｄ）上記実施の形態では、制御装置集合ユニット２６０が球受け部２７０を備えるとともに、裏パック２０１が裏パック補強部材２６１を備える構成とした。これを以下のように変更してもよい。すなわち、制御装置集合ユニット２６０が裏パック補強部材２６１を備えるとともに、裏パック２０１が球受け部２７０を備える構成としてもよい。また、裏パック２０１及び制御装置集合ユニット２６０のいずれか一方が、球受け部２７０と裏パック補強部材２６１とをまとめて備える構成とすることも可能である。
【０１７７】
（ｅ）上記実施の形態では、裏パック２０１と制御装置集合ユニット２６０との回動軸線を本体枠１３の同一側に設けたが、それら回動軸線は同一側でなくてもよい。例えば、それら回動軸線を本体枠１３の左右両側にそれぞれ離間して設けてもよい。
【０１７８】
（ｆ）上記実施の形態では、裏パック機構１５が裏パック２０１と制御装置集合ユニット２６０とを別体で備える構成としたが、これを変更し、裏パック２０１と制御装置集合ユニット２６０とを一体としてもよい。例えば、裏パック２０１と制御装置集合ユニット２６０とが互いに独立して回動する構成としたが、両者が常に一体となって回動する構成としてもよい。
【０１７９】
なお、裏パック機構１５は本体枠１３に対し回動可能な状態で取り付けなくてもよい。例えば、本体枠１３に対して、スライド可能に取り付けてもよいし、ビス等の締結具によって固定してもよい。
【０１８０】
（ｇ）上記実施の形態では、遊技盤８１の背面に回収通路１５１を設けたが、この回収通路１５１を設けなくてもよい。すなわち、一般入賞口８２等の開口部を通過して遊技盤８１の背面側に案内された遊技球が、一般入賞口８２等から下方に真っ直ぐ落下する構成としてもよい。
【０１８１】
（ｈ）上記実施の形態では、「排出領域」としての排出通路２３１を、制御装置集合ユニット２６０（詳しくは取付台２４１）に設けたが、この排出通路を裏パック２０１に設けてもよいし、本体枠１３に設けてもよい。但し、かかる場合、遊技球が排出通路にいたる移動経路は、裏パック補強部材２６１の後方に配することが望ましい。すなわち、遊技球が裏パック補強部材２６１の前側（境界部位周辺）を通過しない構成とすることが望ましい。
【０１８２】
（ｉ）裏パック補強部材２６１の断面（パチンコ機１０の側面視）は略コ字状に限定されるものではない。例えば裏パック補強部材２８４の断面をロ字状としてもよいし（図１６の（ｄ）参照）、裏パック補強部材２８５の断面をＩ字状としてもよい（図１６の（ｅ）参照）。また、上側延出部２６３の補強面２６３ａは、球受け部２７０の接触面２７０ａと平行又は、略平行であることが好ましい。これにより、球受け部２７０に欠け等が発生した場合に、補強面２６３ａによって遊技球の案内（バックアップ）を担保することができる。因みに、補強面２６３ａが少なくとも遊技球を保持しこぼれ落ちを防止できるのであれば、必ずしも接触面２７０ａと平行にする必要はない。例えば、接触面２７０ａが平面の場合に、補強面を曲面としてもよいし、補強面を凹凸面としてもよい。
【０１８３】
（ｊ）上記実施の形態では、裏パック２０１のベース部２１１は、矩形枠の下枠部分を除いた形状（門型状）をなす構成としたが、これを変更し矩形枠状をなす構成としてもよい。かかる場合、裏パック補強部材２６１は、必ずしも裏パック２０１の下方突出部２１１ａ，２１１ｂとを繋ぐ構成とする必要は無い。例えば、ベース部の下枠部分に沿って裏パック補強部材２６１を取り付けるとよい。
【０１８４】
（ｋ）上記実施の形態では、裏パック補強部材２６１を固定する構成としたが、これを以下のように変更してもよい。すなわち、裏パック補強部材２６１によって所望とする剛性向上が達成されればよく、必ずしも固定する必要はない。例えば、裏パック補強部材２６１が、前後方向への移動が規制されるとともに、それ以外の方向への移動が可能な状態で取り付けられていてもよい。
【０１８５】
（ｌ）上記実施の形態では、本体枠補強部材２５３を本体枠１３の後方から取り付ける構成としたが、本体枠１３と一体成形（例えばインサート成形）することも可能である。
【０１８６】
（ｍ）上記実施の形態では、球受け部２７０の接触面２７０ａが排出通路２３１に向かって傾斜する構成としたが、傾斜しない構成としてもよい。例えば、パチンコ機１０の完成状態（島設備に配置された状態）で、接触面２７０ａが水平となる構成とすることも可能である。
【０１８７】
（ｎ）上記実施の形態では、球受け部２７０の接触面２７０ａを平面で構成したが、接触面２７０ａの形状はこれに限定されるものではない。接触面２７０ａを曲面で構成とすることも可能であるし、凹凸面で構成することも可能である。但し、接触面２７０ａは、接触面２７０ａ上に遊技球が留まることなく、遊技球を排出通路２３１等に誘導できる形状であることが望ましい。
【０１８８】
（ｍ）上記実施の形態では、球受け部２７０における片持ち支持の位置を、球受け部２７０の後端部としたが、これを変更し、前端部とすることも可能である。
【０１８９】
また、球受け部２７０はその端部において支持される構成としたが、これを変更し、端部以外の部分で支持される構成とすることも可能である。アウト口８７等から落下してきた遊技球が主として球受け部２７０におけるその支持位置以外の範囲（球受け部の自由端から支持位置までの範囲）で当たることで、球受け部２７０の撓みを利用した減勢を行いやすくできる。
【０１９０】
（ｏ）上記実施の形態では、裏パック補強部材２６１の上側延出部２６３の自由端を球受け部２７０の自由端と同一側（後側）にしたが、裏パック補強部材２６１の自由端を球受け部２７０の自由端と反対側（前側）にしてもよい。すなわち、上側延出部２６３の後端部を固定端としたが、図１６の（ｆ）に示すように上側延出部２６３の前端部を固定端としてもよい。
【０１９１】
（ｐ）上記実施の形態では、裏パック補強部材２６１を金属製としたが、これを変更し、合成樹脂製とすることも可能である。例えば裏パック補強部材を直方体状等のブロックで構成するとよい。本体枠補強部材２５３についても同様に合成樹脂製とすることも可能である。
【０１９２】
（ｑ）上記実施の形態とは異なる他のタイプの弾球遊技機、例えば他の役物を備えたパチンコ機、アレンジボール機、雀球等の遊技機にも適用できる。
【符号の説明】
【０１９３】
１０…遊技機としてのパチンコ機、１１…外枠、１３…支持枠としての本体枠、１５…裏パック機構、８１…遊技盤、８２…開口部としての一般入賞口、８７…開口部としてのアウト口、１６２…主制御装置、２０１…裏パック、２３１…排出領域としての排出通路、２４３…副制御装置としての電源及び発射制御装置、２５３…支持枠補強部材としての本体枠補強部材、２６０…制御装置集合ユニット、２６１…背面カバー補強部材としての裏パック補強部材、２６２…支持板部、２６３…制限部としての上側延出部、２６５…溝部、２７０…当接部としての球受け部、２７０ａ…接触面、２７１…収容部。
【図１】
0005578212.tif 000002
【図２】
0005578212.tif 000003
【図３】
0005578212.tif 000004
【図４】
0005578212.tif 000005
【図５】
0005578212.tif 000006
【図６】
0005578212.tif 000007
【図７】
0005578212.tif 000008
【図８】
0005578212.tif 000009
【図９】
0005578212.tif 000010
【図１０】
0005578212.tif 000011
【図１１】
0005578212.tif 000012
【図１２】
0005578212.tif 000013
【図１３】
0005578212.tif 000014
【図１４】
0005578212.tif 000015
【図１５】
0005578212.tif 000016
【図１６】
0005578212.tif 000017